(57)【要約】【課題】天井照明装置の輝度を均一にする効果を達すると共に、投射面積を規範し、光束を導引して有効利用することができる、ダイオード屈折式天井照明装置の提供。  【解決手段】 主に繊維導光板と、フレームと、前記導光板の相対する二側に発光ユニットの発生する光束を進入させる入光面が形成され、該導光板の一面に屈折面、別の一面に反射面が設けられ、前記反射面にマトリックス状に分布された屈折面の方向に反射する粒状の突出した複数の反射部材が設けられ、かつその粒径が反射面の面中央を基準として、入光面方向に向かって等比級数方式で徐々に小さくなり、その相互間の距離が逆に徐々に増加され、前記反射部材の反射曲面が射出する光束ルートが屈折面の垂直線に近いものとなり、光束を均一に投射すると共に照明角度を効果的に規範し、さらに周囲を包覆するフレームで放熱を実施すると同時に結合部を形成して天井に簡単に取り付けられるようにし、床面に対して区域的な投射照明を形成する。【選択図】図３
2010244955.tif 000002
【特許請求の範囲】
【請求項１】
室内の天井に使用し、投光角度を限定して床面の限定区域に光を投射する板状の天井照明装置であって、
一面に反射面、別の別の一面に屈折面を備え、前記反射面に反射部材が設置され、少なくとも相対する両側にをそれぞれ入光面が設けられとし、複数の発光部材が各入光面の外側に並べて配列され、かつその発生する光束が前記入光面に導入される概ね対称な多辺形の繊維導光板と、
前記入光面の外側に並べて配列された複数の発光部材が設置され、前記発光部材を結合し、かつ前記導光板の周囲を包覆すると共に、熱伝導能力を備え、前記発光部材の廃熱を導き出すことができるフレームと、
前記導光板の屈折面外表に結合された光学拡散板と、
前記導光板の反射面に結合された反射板と、
と、  前記発光部材に動作電力を提供する電子駆動回路を含み、
そのうち、前記導光板の反射面にさらに複数の反射部材が結合され、前記反射部材は外側に突出した球面体であって、内側に円形の反射曲面が形成され、その粒径が前記導光板の面中央にあるものを基準として前記入光面の方向に向かい徐々に小さくなり、かつその相隣距離が前記導光板の面中央の相隣距離を基準として前記入光面の方向に向かい徐々に増加して設置された複数の反射部材と、
前記発光部材に動作電力を提供する電子駆動回路と、
を含むことを特徴とする、ダイオード屈折式天井照明装置。         
【請求項２】
前記反射部部材の粒径が、前記反射面の面中央にあるものを基準とし、外側に向かって等比級数の方式で徐々に小さくされたことを特徴とする、請求項１に記載のダイオード屈折式天井照明装置。
【請求項３】
前記反射部部材の相隣間隔が、前記反射面の面中央にあるものを基準とし、外側に向かって等比級数の方式で増加することを特徴とする、請求項１に記載のダイオード屈折式天井照明装置。
【請求項４】
前記反射部部材の粒径が、前記導光板の面中央にあるものが前記入光面近くの最も外側にあるものの２倍大きいことを特徴とする、請求項１に記載のダイオード屈折式天井照明装置。
【請求項５】
前記反射部部材の相隣間隔が、前記導光板の面中央にあるものが前記入光面近くの外側にあるものの２倍短いことを特徴とする、請求項１に記載のダイオード屈折式天井照明装置。
【請求項６】
前記反射部部材が前記導光板と一体成型されたことを特徴とする、請求項１に記載のダイオード屈折式天井照明装置。
【請求項７】
前記反射部材が光学インクでプリントされて成ることを特徴とする、請求項１に記載のダイオード屈折式天井照明装置。
【請求項８】
前記フレームが、上フレームと下フレームを結合部部材で結合固定してなることを特徴とする、請求項１に記載のダイオード屈折式天井照明装置。
【請求項９】
前記入光面が前記導光板の各側辺に設けられたことを特徴とする、請求項１に記載のダイオード屈折式天井照明装置。
【請求項１０】
前記フレームが一体成型で成り、前記発光部材を設置するための槽部を備え、一側を延伸して放熱フィンが設けられ、内部に前記導光板を挟んで保持するための固定板と支持板を形成したことを特徴とする、請求項１に記載のダイオード屈折式天井照明装置。
【発明の詳細な説明】
【技術分野】
【０００１】
本発明はダイオード屈折式天井照明装置に関し、特に、室内の天井に使用して限定した投射角度で地面に限定区域の光を投射することができる板状の天井照明装置であって、主に均一な放射光束及び有効限定投射面積を形成でき、円滑に天井に結合させることができ、かつそれ自体が放熱する、ダイオード屈折式天井照明装置に関する。
【背景技術】
【０００２】
省エネとCO２削減の風潮の下、省電力の照明設備は家庭やオフィス照明の主流となっており、蛍光灯とLEDランプはどちらも省電力であるが、現在のLEDランプは点状でマトリックス状に分布され、外部から観察すると点状に分布した点光源であり、かつ生産過程または材料品質の誤差により、各LEDランプの発光効率と波長が不均一になったり、その演色性が優れなかったりすることがある。従来の蛍光灯が発射する輝度は均一であり、かつ最近の新しい三波長の技術で、その演色性と照度が均一で柔和になっている。このため、LEDを発光部材とする実施においては、光学機制により光束を変換させなければ、室内照明の機能に適用することができない。
【０００３】
一般に室内では坪面積の大きさに基づき採用する照明装置の数量を決定している。例えばオフィスは約６-８平方メートルに１００Wの照明設備がなければ閲読に使用することはできず、かつその照明の角度も原則上１８０未満を原則としており、指向作用があるものは１８０度に規範され、照明面積に対し特定の照明角度を規範し、角度の規範で照明は十分に光エネルギーを利用し、光エネルギーの無駄な負担を回避することができるが、一般の常態照明装置は角度の規範が困難である。
【０００４】
LED照明の産業は近年潜在力のある産業の一つと認識されており、主に体積が小さく軽量薄型で、照明の応用に使用できれば、居住空間により大きな自由度のある使用態様を提供できると共に、省エネの効果も期待できる。LEDは体積が小さく、反応時間が速いだけでなく、従来の蛍光灯のように水銀の害もないという利点があるが、居住空間の照明として使用するLEDは高仕事率である必要があり、相対して廃熱が発生する。かつ、照明器具は動作温度が高すぎてはならず、材質の熱による劣化や電気抵抗の悪循環でその効率が損耗するのを回避するため、その総温度差が１５度より高くならないようにしなければならない。もし効率の損耗が１０%を超過すると、投射される輝度が顕著に低下し、投射面積の総和光束量が大幅に低下してしまう。
【０００５】
現在LED照明の設計としては、米国第６５４０３７３Ｂ２号の案がある。これは複数のLEDダイオード発光ユニットを板体上にマトリックス状に排列し、天井を構成する片体の一つとして前記板体を用い、下方向に照射する光量を得るものであるが、前記発光ユニットは点状光源であるため、外観が眼に刺激となったり、輝度または色温度が生産誤差のため不均一となる場合がある。
【０００６】
また、米国第６３５５９６１号案は、マトリックス状に排列されたLED投射面に光整流装置を設置して光点を消散させようとしており、さらに米国第７３１１４２３Ｂ２案は従来の蛍光灯の位置をLEDで代替したもので、同様に顕著な点状光源の問題がある。
【０００７】
光源光束調整の技術において、別に米国第２００１/００４６１３１/Ａ１案があるが、これは混合室を利用してまず光源光束作用部を反射した後、拡散アッセンブリで準備的な拡散をさせてから導光板に進入させ、かつその反射面で光束の方向を変えてLED板のバックライトとして使用するものである。これは使用場面が異なるだけでなく、準備的な混合及び準備的な拡散方式で、導光板に進入する前にすでに光束量が大幅に失われてしまうが、LEDバックライトとしての使用は、その輝度がとても均一になる。ただし、室内照明で省エネにこだわる場合、その準備的な光束の調整作業の損耗が一般的な実施には不利である。
【先行技術文献】
【特許文献】
【０００８】
【特許文献１】米国特許第６５４０３７３Ｂ２号明細書
【特許文献２】米国特許第６３５５９６１号明細書
【特許文献３】米国特許第７３１１４２３Ｂ２号明細書
【特許文献４】米国特許米国第２００１/００４６１３/Ａ１
【発明の概要】
【発明が解決しようとする課題】
【０００９】
本発明は反射と屈折の原理を利用し、角度の導引と光路の差に対応した反射設計を利用して、天井照明装置の輝度を均一にする効果を達すると共に、投射面積を規範し、光束を導引して有効利用することができる、ダイオード屈折式天井照明装置を提供する。
【００１０】
本発明の主な目的は、光束の有効な指向的利用と、屈折面全体の均一な放射、発光ユニットの廃熱の効果的な排除を考慮して繊維導光板を使用し、少なくとも２つの平行な入光面を並べて排列した発光ユニットを配置することができ、発光ユニットが発生する光エネルギーを２つの平行な面である入光面から進入させ、導光板で反射して前進させることで入光面から進入する光束を多角度の方向に分け、基本的には発光ユニットの発射角度の大小に基づき導光板の寸法の大きさを選択し、放射角度が２０〜６０度の間等の一般的な多種類の規格のLED発光部材を使用することができ、その放射する光束が導光板の入光面から進入した後、一部は屈折面に作用し、別の一部は反射面に作用して、その光束が反射面に達した後、反射面の法線に基づき反射した光束を屈折面の方向に向かって進行させ、反射面には反射部材を設置し、該反射部材に反射曲面を設け、該曲面は入光面から進入する光束に相対して光束を効果的に屈折させ、その反射した光束が射出される放射ルートの方向を屈折面の垂直線に接近させることができ、このため発光ユニットの発生する光束が９０度に近い状態となり、天井照明装置の照明角度の指向性を効果的に高めて限定的な角度に規範し、かつ光束量を無駄にせず、発光ユニットは対外的に直接フレームを熱伝導機制として利用し、その発生する廃熱を効果的に放散することができると共に、フレームを利用して結合部を形成し、天井に取り付けて床面に対する照明とするのに便利であり、かつ反射面上の各反射部材のマトリックス状排列方式において、その間隔が中心を基準として外側に向かうにつれ等比級数で増加し、反射部材の粒径が中心を基準として外側に向かうにつれ小さくなるよう配置されるため、均一な輝度と照明角度を規範することができる、ダイオード屈折式天井照明装置を提供することにある。
【００１１】
本発明のさらに別の目的は、前記フレームがネジ固定作用を備え、発光ユニットを並べて排列し、かつ組み立て方式で導光板を固定することができる、ダイオード屈折式天井照明装置を提供することにある。
【００１２】
本発明の第三の目的は、導光板の反射面の外側表面に内側に反射する反射板を設置し、屈折面に外側に向かって光学拡散板を設置し、前記光学拡散板をさらに増光膜とすることができることを特徴とする、ダイオード屈折式天井照明装置を提供することにある。          
【課題を解決するための手段】
【００１３】
本発明は板状の導光板を利用し、該導光板は少なくとも２つの相互に対面した平行な入光面を有し、並べて排列した発光ユニットの発生する光束が相互に対面する方式で導光板に進入し、前記導光板は光束を送り進める屈折面が形成され、他の一面に反射面が設けられ、該反射面にマトリックス状の排列で複数の反射部材が設置され、かつ該反射部材の粒径は面の中央を基準とし、入光面方向に向かうにつれ等比級数で徐々に小さくされ、各反射部材間の間隙は等比級数で徐々に増加され、原則上は面中央の反射部の材粒径を２とし、徐々に小さくして面の外辺近くに位置する反射部材の粒径を１とすると共に、その相隣する各反射部材間の間隙は反射面中央を１とし、徐々に増加させて面外辺近くに位置するものを２の間隔とし、発光ユニットが発射する光束に対応して組み合わせられ、その光路の進行において中央に到達するものは徐々に損耗するため、中央箇所で反射部材の密度を増加し、強制的に反射作業を強化して、屈折面全体で放射する光束の輝度を均一にすることができる。かつ前記反射部材は突出状であり、内側に向かった反射曲面を備え、発光ユニットの一定角度で発射する光束に対応してその方向を変え屈折面に接近する垂直線になるよう反射することができ、発光部材の光束ルートの屈折を９０度近くにして、天井照明装置の照明角度を効果的に下方向に投射するよう規範し、その光束量のほぼ全量を導引して下方向に照射させることができる。      
【図面の簡単な説明】
【００１４】
【図１】本発明を室内の天井に応用した状態を示す外観図である。
【図２】本発明の側面断面図である。
【図３】本発明の光束の進行原理を示す側面図である。
【図４】本発明の照明角度関係を示す側面図である。
【図５】本発明の反射部材の設置関係の比例分布を示す平面図である。
【図６】本発明の反射部材の光束ルートとの対応を示す平面図である。
【図７】本発明の照射光路１.６メートルの輝度曲線図である。
【図８】本発明の照射光路２メートルの輝度曲線図である。
【図９】本発明と従来の蛍光灯の光路１.６メートル面積X軸上で測定した輝度曲線図である。
【図１０】本発明と従来の蛍光灯の光路１.６メートル面積Y軸上で測定した輝度曲線図である。
【図１１】本発明と従来の蛍光灯の光路２メートル面積X軸上で測定した輝度曲線図である。
【図１２】本発明と従来の蛍光灯の光路２メートル面積Y軸上で測定した輝度曲線図である。
【図１３】本発明のフレームに放熱機制を直接実施した状態を示す側面断面図である。
【図１４】本発明の２つの対辺に発光部材を設置して形成した投射面積の形状を示す立体図である。
【図１５】本発明の複数の対辺に発光部材を設置して形成した投射面積の形状を示す立体図である。
【発明を実施するための形態】
【００１５】
本発明の応用は、まず図１に示すように、本発明の天井照明装置１０は室内の天井に応用することができ、例えば軽量鋼フレームサッシ８の構成において、天井板８０と同じ面積とし、容易に軽量鋼フレームサッシ８に組み合わせて床面に対する照明を形成することができる。
【００１６】
本発明の天井照明装置１０は、図２に示すように、その構造は主に導光板１を備え、導光板１の相対する両側に平行に対応する入光面１００がそれぞれ形成され、入光面１００の外部にLED発光ユニット４が相対して設置され、該発光ユニット４は複数を並べて配置し、発光ユニット４の外部は熱伝導ユニット５により廃熱を導き出して廃熱発散ルートを形成すると共に、導光板１の上下両面にそれぞれ屈折面１２と反射面１１を形成し、発光ユニット４の発生する光束が入光面１００から進入した後、屈折面１２と反射面１１の間で内部反射して前進する。
【００１７】
反射面１１の外側表面には反射板２を設置し、その機械的組み立て固定関係はフレーム６に設けた上フレーム６１、下フレーム６２を利用して熱伝導ユニット５、LED発光ユニット４、導光板１、光学拡散板３、反射板２を挟み、かつ結合部材６０で最終的に固定しする。フレーム６は結合部材６０により最終的に固定された後、結合部材６０を取り外せば上フレーム６１、天井照明装置１０、熱伝導ユニット５等を外すことができ、発光ユニット４のメンテナンスに便利である。
【００１８】
フレーム６は少なくとも一側に結合部６６が設けられ、吊掛けや架設など対外的に結合して使用することができる。
【００１９】
図３に示すように、本発明の光束の作用原理は主に、LED発光ユニット４の発射する光束B０は、導光板１に発射された光束B０が進入し、進入した後は反射面１１と屈折面１２の間で反射面１１により反射され前進し、かつ屈折面１２で一部が内側に向かって反射され前進する。そのうち、光束B０は発光ユニット４の発光チップ４１の製造規格に基づき、例えば６０度の角度の場合、その発射光束は６０度の角度で入光面１００から進入し、また発光チップ４１は基板４２に結合され、複数の発光チップ４１を並べて配置することができる。
【００２０】
LED発光ユニット４の発生する光束B０は入光面１００から進入した後、その光束B１が反射面１１に作用し、かつ反射面１１の法線nに基づいて反射光束B１０を発生し、一部は反射面１１の反射損耗のため屈折された屈折光束B１tを発生し、屈折光束B１tはさらに反射板２内表に設けた反射表面２０により反射され、導光板１の方向に向かってリターン光束B１r，を反射する。このため、光束B０から進入した光束B１は、前述の反射光束B１０とB１rを有する状況となり、または一部光束B２が屈折面１２に作用し、屈折面１２はさらにより高い屈折率を有するよう形成することができるため、若干部分が内部反射光束B２０の前進光を形成し、光束B２から屈折面１２の作用を経た光束が屈折光束B２tとなり、この屈折された光束B２tは照明のうちの一光束となる。
【００２１】
また、入光面１００から進入した光束B３は反射部材１３の位置に作用し、かつ反射部材１３は内側に向かった反射曲面１３０を備え、該反射曲面１３０は内部反射を形成し、曲率の法線nに基づいて反射光束B３０を発生する。この反射光束B３０は発光ユニット４からの光束B０の進行角度を大幅に転向させ、該反射光束B３０を屈折面１２の垂直線L０に接近させて照明投射角度θ°∠（図４参照）を規範することができる。
【００２２】
前記反射光束B３０の作用により、光束を屈折面１２の垂直線L０に接近させて大幅に集結させ、光束の角度が全面的に下方向の放射に規範され、光束を有効利用することができ、水平方向に消耗されることがない。
【００２３】
また、反射光束B３０が屈折面１２に作用するとき、一部が反射して反射光束B３rとなり、一部が異なる媒質を介して屈折光束B３tを形成し、この屈折光束B３tは疎密過程であるため、法線nから偏移するが、この偏移は投射角度の規範に顕著な影響を及ぼさない。
【００２４】
屈折光束B３tと前述の屈折光束B２tは共に照明に応用する光束であり、導光板１に設けた屈折面１２の外表にさらに光学拡散板３を設置することができ、この光学拡散板３は屈折された光束B３t、B２tをさらに拡散することができるため、その形成する照明光束Bnの輝度をより均一にすることができ、そのうち前記光学拡散板３は光学性の拡散材料または増光膜の応用とすることができる。
【００２５】
反射部材１３は導光板１の上表面から突出して設けられ、該導光板１は原則上光ファイバで導光作用を形成し、そこに形成された反射面１１と屈折面１２は共に内側への反射能力を備え、反射部材１３はインクプリント方式または一体結合方式で導光板１の反射面１１外側表面に同体として結合される。
【００２６】
そのうち、前記反射部材１３をもし光学インクプリント方式で形成する場合、その結合インターフェース１３１に破壊構造の態様が形成され、該結合インターフェース１３１範囲内の反射面１１の反射能力が失われ、光束B０が進入した後発生する前進光束B３が反射曲面１３０に作用する前に、まず結合インターフェース１３１を通過して反射曲面１３０の内側曲面全体に均一な放射作用を形成し、かつ該内曲面が指向的に光束B３０を反射する。すなわち、結合インターフェース１３１の破壊程度は反射光束B３０の単一ルートの光束強度を決定することができ、かつ反射光束B３０の事前拡散を形成してより多角度に均一な反射を形成し、反射光束B３０がそれぞれ屈折面１２を経由した後に射出される。
【００２７】
光学拡散板３は拡散装置であり、導光板１が屈折して射出する光束を二次的に拡散し、導光板１全体の投射面が投射する光束を外観上細緻かつ均一に分布させる効果を形成する。
【００２８】
本発明の実験に基づき、前記発光の輝度と均一な照度は共に満足のいくものであり、かつ蛍光灯またはPL灯あるいはT５ランプ管を含めた表現程度に劣らない、または超越することができることが分かった。本発明の実験に使用した材料の単一のLEDは１Wであり、全体照度の測定値は表面中心で１３,４６０LUX、１.２メートル照明光路中心で１,１００LUX、１.６メートル照明光路中心で５１０LUXであった。
【００２９】
本発明の特徴は、低い仕事率損耗および均一な表面輝度と極めて高い効率にあり、かつその構造は堅実で外型は軽薄であり、室内またはオフィス、あるいは特殊作業場面での使用、さらには高輝度の広告照明の公共空間での応用にも適している。
【００３０】
本発明は光束を転向させてその効果を極限まで引き出すものであり、LEDの発生する光束を直接方向転換させて均一に拡散することができ、かつ使用するLEDの数量が少なく、相対してエネルギー消費を低減することができる。また、一般的な応用回路に基づいてリモートコントロールまたは輝度の大きさの調整、あるいは色波長や色温度の変化等の調整機能を設けることもでき、これら調整機能は一般的な変調回路技術で達成可能であるためここでは説明を省略する。基本的に本発明に組み合わせるさまざまな調整及び原本の特性は、人類の視覚的許容性により適合させることができる。
【００３１】
図４に示すように、本発明の天井照明装置１０は駆動電源７を応用して電力を得、LED発光ユニット４を動作させ、発光ユニット４の発生する光束が導光板１及び反射板２または光学拡散板３の転換を経て、屈折面１２から外部に向かって射出され、かつ反射部材１３の作用により、天井照明装置１０の照明角度を一定の度角θ°∠に規範し、光束をθ°∠度の角度規範内に集結させて床に投射させることができる。また、その投射距離を１.６または２.０メートルとした実施において、その揮度は満足のいくものであり、かつ蛍光灯に劣らない。
【００３２】
図５に示すように、本発明で応用する導光板１は、その反射面に突出状の反射部材１３（図３参照）が設けられ、該反射部材１３はプリント方式で実施するか、あるいは導光板１と一体成型することができ、基本的には円形の突出状の球面粒状体であり、反射面１１の一側に接合される。そのマトリックス配置は導光板１の面の中間点で比較的高確率の反射作用を得ることができるようにするためであり、このため該反射部材１３そのものの拡大と間隔を密集させる方式でLED発光ユニット４の発生する光路Lルートにおいて均等な転換効果を得る。反射部材１３の設置は導光板１の面の中間を基準として、当該面の中間に設けた反射部材１３を比較的大きくし、その粒径を等比級数の方式で外側に向かうにつれて徐々に小さくし、面中間の反射部材１３の粒径を入光面１００近隣側辺部の反射部材１３の粒径の２倍大きくする。 
【００３３】
また、相隣する反射部材１３の間の距離は、各反射部材１３の円接線の相対距離であり、面中間のものを間隔L１とし、外側に向かうにつれて等比級数の方式で増加させ、面上の入光面１００に接近した一側辺近くの相隣する反射部材１３の相対距離間隔L２を増加し、かつ間隔L２を間隔L１の２倍大きく設定することができる。これにより発光ユニット４の発生する光束が光路Lの過程で段階的に中央に向かって増量反射され、光路が中央に接近するにつれて弱くなるエネルギーが数と量の集中配置により増強され、屈折面１２から射出される照明の光束を均等にすることができる。
【００３４】
図６に示すように、上述の反射部材１３の導光板１の面上の配置は、線性位置がそれぞれの属するLED発光ユニット４の発射光束Bのルート正面に配置するのがよい。
【００３５】
図７、図８に、本発明の上述の設計に基づいて１WのLEDを４８個設置し、システムの電源要求１１０V、６０HZ、７５Wの電源規格で実施した結果に関し、テストを経て投射面積のX軸とY軸、投射距離１.６及び２メートルの状況下で取得したそれぞれの輝度曲線を示す。
【００３６】
図９から図１２に本発明と従来の蛍光灯の発光効率の比較を示す。投光距離が１.６及び２メートルの状況下で比較テストし、両者それぞれの投射面積のX軸、Y軸で測定して得た輝度曲線図を示す。
【００３７】
上述の二種類の照明はそれぞれ試作の規格を実施しており、本発明の天井照明装置は７５Wを採用している。従来の蛍光灯の９０Wの状況下における動作を比較すると、動作温度が共に５５℃であるとき、それぞれ１.６メートルの投射距離と１.２メートルの投射距離における蛍光灯との比較測定では、０〜１.５メートル内でその輝度は閲読の光束量を満たすことができ、かつその輝度は非常に蛍光灯に接近しており、軸によっては蛍光灯を超える場合さえもある。上述の比較条件は本発明の天井照明装置と従来の蛍光灯を利用したときの比較である。
【００３８】
その投射面のX、Y軸輝度比較測定で得た数値を次の表１、表２に示す。
2010244955.tif 000003
2010244955.tif 000004
【００３９】
図１３に示すように、本発明の天井照明装置１０は側面にLED発光ユニット４が設置されているため、構造位置と発光ユニット４の発生する廃熱による損耗の問題を考慮する必要がある。フレーム６を利用して単体式とし、フレーム６内部に前記発光ユニット４を取り付けるための槽部６７形成し、該フレーム６にはさらに相対する固定板６４と支持板６５を設け、その間に導光板１、反射板２、光学拡散板３を挟み、結合部材６０で固定することができる。かつフレーム６は同様に導光板１の四辺に４本形成し、相互間を任意の結合方式で結合させ、別途結合部材６０を利用して導光板１、反射板２、光学拡散板３を固定する。そのうち、結合部材６０が直接反射板２または導光板１を押すことがないよう緩衝片６３を設置することができる。
【００４０】
フレーム６の上端を延伸して放熱フィン６８を設け、該放熱フィン６８は軽量鋼フレームサッシ８の水平空間を占用しないよう上方向に設置する。水平空間が十分であるとき、放熱フィン６８は水平に設置することもでき、さらに軽量鋼フレームサッシ８の外観に影響を与えないよう、前記放熱フィン６８は下方向に向けて室内空気と接触させると、よりよい熱交換効果が得られる。
【００４１】
そのうち、フレーム６はアルミ合金など比較的高熱伝導係数の金属材料を採用し、槽部６７と発光ユニット４の間にはさらに熱伝導性接着剤で固定し、熱伝導を迅速に行うことができるようにする。
【００４２】
軽量鋼フレームサッシ８はフック８１を利用して室内の天井に取り付けられ、フック８１の長さ距離内に空間を形成し、該空間は放熱フィン６８の収容と放熱空間の必要性を満たすことを前提とする。
【００４３】
フレーム６上方に延伸して形成した放熱フィン６８は、一定の高さを備え、天井照明装置１０内部上方に凹んだ空洞を形成し、該凹んだ空洞位置に駆動電源７を設置することができ、該駆動電源７が提供する電力が回路でLED発光ユニット４に連結され、発光ユニット４に電力を供給すると共に、駆動電源７は同時に結合部材６０により固定される。駆動電源７は板体に連結する方式で緩衝片６３に結合され、結合部材６０を螺合すると同時に駆動電源７を位置決めして固定することができる。
【００４４】
図１４、図１５に示すように、本発明は導光板１の側面の入光面１００にLED発光ユニット４を設置して光束を導入し、光束の前進及び方向転換の原理に基づき実施する。そのうち、入光面１００は対辺で平行かつ対称であるため、発光ユニット４も同様に対称であり（図２の方式を参照）、かつ前記導光板１の入光面１００は少なくとも両側で平行を成すものとし、多くする場合は４側面すべてに入光面１００を設け、対応して発光ユニット４を設置することができる。本発明は基本的に対称かつ平行に入光面１００を設置すれば投光面積の照明のニーズを満たすことができる。
【００４５】
上述のように導光板１の相対する二側に２組の相対するLED発光ユニット４を実施すると、その発生する２つの発射光束Bは直線的に相対して射出された状態を成し、導光板１が方形で照射角度をθ°∠に規範したとき、投射される照明光束は基本的に矩形投射枠９１を形成し、さらに放射作用を加えると、その投射面積９が矩形投射枠９１を受けて橢円形となる。
【００４６】
より均一な投射面積９の辺廓形状を得るため、導光板１の各辺すべてに入光面１００を実施し（図１５参照）、かつ対数でLED発光ユニット４を組み合わせた後、複数の発射光束Bを形成し、かつ複数本の光束を相対して射出させ、規範された照射角度θ°∠に基づき、交差する２つの矩形投射枠９１、矩形投射枠９２を発生し、さらに放射作用を経て輪郭形状が比較的円に近い投射面積９を得ることができる。
【００４７】
入光面１００の配置は、導光板１の対称辺の数量により決定し、導光板１が対称の多辺形である場合、各辺すべてに入光面１００及びLED発光ユニット４を配置して、投射面積９をより円形に近づけることができる。
【符号の説明】
【００４８】
１        導光板
１０      天井照明装置
１００    入光面
１１      反射面
１２      屈折面
１３      反射部材     
１３０    反射曲面
１３１    結合インターフェース
２        反射板
２０      反射表面
３        光学拡散板
４        LED発光ユニット
４１      発光チップ
４２      基板
５        熱伝導ユニット
６        フレーム
６０      結合部材
６１      上フレーム
６２      下フレーム
６３      緩衝片
６４      固定板
６５      支持板
６６      結合部
６７      槽部
７        駆動電源
８        軽量鋼フレームサッシ
８０      天井板
８１      フック
９        投射面積
９１、９２      矩形投射枠
L      光路
L１、L２      間隔
n      法線           
B      発射光束
Bn      照明光
B０、B１、B２、B３      光束
B１０、B２０、B３０、B３r      反射光束
B１t、B２t、B３t      屈折光束          
B１r      リターン光束
L０      垂直線 
【図１】
2010244955.tif 000005
【図２】
2010244955.tif 000006
【図３】
2010244955.tif 000007
【図４】
2010244955.tif 000008
【図５】
2010244955.tif 000009
【図６】
2010244955.tif 000010
【図７】
2010244955.tif 000011
【図８】
2010244955.tif 000012
【図９】
2010244955.tif 000013
【図１０】
2010244955.tif 000014
【図１１】
2010244955.tif 000015
【図１２】
2010244955.tif 000016
【図１３】
2010244955.tif 000017
【図１４】
2010244955.tif 000018
【図１５】
2010244955.tif 000019